(57)【要約】      （修正有）【課題】シートを使用するに際して、シートが取り出しやすく、しかもシートが浸された状態にある液体が開封時にこぼれ出さない湿式シートの包装容器を提供する。【解決手段】湿式シートの包装容器は、短冊形状の耐水素材のシート１を折り曲げて形成した袋容器であって、前記耐水素材のシートの長手方向両端部が重なった形態である開口部２が前記袋容器の中段部に配置され、少なくとも前記袋容器の両側辺と前記開口部とが接着ｃされてなり、前記耐水素材のシートの上段側端部を下段側端部から引きはがすと共に上段側両側辺からも引きはがすことにより開封される。【選択図】図２
0003159278.tif 000002
【実用新案登録請求の範囲】
【請求項１】
短冊形状の耐水素材のシートを折り曲げて形成した袋容器であって、前記耐水素材のシートの長手方向両端部が重なった形態である開口部が前記袋容器の中段部に配置され、少なくとも前記袋容器の両側辺と前記開口部とが接着されてなり、前記耐水素材のシートの上段側端部を下段側端部から引きはがすと共に上段側両側辺からも引きはがすことにより開封されることを特徴とする湿式シートを収納する包装容器。
【請求項２】
短冊形状の耐水素材のシートは長手方向端部から谷折り、谷折り、山折りとされ、開口部は前記山折りされた耐水素材のシートの一方の長手方向端部の上に他方の長手方向端部が重ねられて接着されたものである請求項１に記載の湿式シートを収納する包装容器。
【請求項３】
短冊形状の耐水素材のシートは長手方向端部から谷折り、谷折り、山折り、谷折りそして山折りとされて袋容器下段部にマチが形成され、開口部は前記山折りされた耐水素材のシートの一方の長手方向端部の上に他方の長手方向端部が重ねられて接着されたものである請求項１に記載の湿式シートを収納する包装容器。
【請求項４】
開口部は、前記耐水素材のシートの長手方向両端部の位置がズレを有して重ねられていると共に、前記両端部位置から若干領域は非接着形態となっていることを特徴とする請求項２または３に記載の湿式シートを収納する包装容器。
【請求項５】
湿式シートはパックマスクであり、耐水素材のシートはアルミニューム素材である請求項１乃至４のいずれかに記載の湿式シートを収納する包装容器。
【考案の詳細な説明】
【技術分野】
【０００１】
本考案は、湿式シートの包装容器、特にパックマスク等液体を染み込ませたシートを包装するのに適した容器に関するものである。
【背景技術】
【０００２】
ご婦人の顔のスキンケアーにパックマスクが使用されている。タイプとしてはシート状のものの他にジェル状のものが流通されている。シート状のものは親水性のペーパーシート、不織布やコットンなどに美容液やジェルが染み込まされたものである。シートと美容液が別々に保管され、使用時にシートに美容液を染み込ませて使用するもの（例えば、特許文献１，２参照）もあるが、すぐに使用できるようにすでにシートの美容液が染み込まされているもの（例えば、特許文献３，４参照）が広く流通している。一般的にはそのようなシートを図６に示されるように耐水素材のシートによって袋状に包装されている。袋からパックマスクシートを出して顔全体又はほお骨から鼻すじにかけてフィットするように貼付け、１０分程度そのままにしてパック養生した後、顔からシートを剥がして廃棄するといった使い方となる。使用に際し封止された袋からパックマスクシートを取り出すときは、袋容器の切り口ｄを裂き、袋の口を開いて指を入れ中からシートをつまんで引き出すようにして取り出すわけであるが、このとき、濡れた状態にあるシートが袋の内面に貼り付いてしまうため、スムーズに出てこない。使用時の取り出しが厄介であるという問題がある。
【先行技術文献】
【特許文献】
【０００３】
【特許文献１】特願２００２−３７３５０号公報  「２室分離式携帯用容器」  平成１４年２月６日公開
【特許文献２】特開２００２−１２２７３号公報  「フェイスパックマスクの携帯用包装袋」  平成１４年１月１５日公開
【特許文献３】特開２００６−３１２４７６号公報  「シート状化粧料包装体及びその製造方法」  平成１８年１１月１６日公開
【特許文献４】登録実用新案第３０３５４８８号公報  「フェイスマスク型美容用品」  平成８年１２月２５日登録    平成９年３月１８日発行
【考案の概要】
【考案が解決しようとする課題】
【０００４】
本考案の課題は、シートを使用するに際して、シートが取り出しやすく、しかもシートが浸された状態にある液体が開封時にこぼれ出さない湿式シートの包装容器を提供することにある。
【課題を解決するための手段】
【０００５】
本考案の湿式シートの包装容器は、短冊形状の耐水素材のシートを折り曲げて形成した袋容器であって、前記耐水素材のシートの長手方向両端部が重なった形態である開口部が前記袋容器の中段部に配置され、少なくとも前記袋容器の両側辺と前記開口部とが接着されてなり、前記耐水素材のシートの上段側端部を下段側端部から引きはがすと共に上段側両側辺からも引きはがすことにより開封されることを特徴とする。
本考案の湿式シートの包装容器の一形態は、短冊形状の耐水素材のシートは長手方向端部から谷折り、谷折り、山折りとされ、開口部は前記山折りされた耐水素材のシートの一方の長手方向端部の上に他方の長手方向端部が重ねられて接着されたものとした。
また、異なる形態として短冊形状の耐水素材のシートは長手方向端部から谷折り、谷折り、山折り、谷折りそして山折りとされて袋容器底部にマチが形成され、開口部は前記山折りされた耐水素材のシートの一方の長手方向端部の上に他方の長手方向端部が重ねられて接着されたものとした。
【０００６】
本考案の湿式シートの包装容器の開口部は、前記耐水素材のシートの長手方向両端部の位置がズレを有して重ねられていると共に、前記両端部位置から若干領域は非接着形態となっていることを特徴とする。
また、本考案の湿式シートの包装容器はパックマスク用であり、耐水素材のシートはアルミニューム素材を採用するものとした。
【考案の効果】
【０００７】
本考案の湿式シートの包装容器は、短冊形状の耐水素材のシートを折り曲げて形成した袋容器であって、前記耐水素材のシートの長手方向両端部が重なった形態である開口部が前記袋容器の中段部に配置され、少なくとも前記袋容器の両側辺と前記開口部とが接着されてなるものであるから、前記耐水素材のシートの上段側端部を下段側端部から引きはがすと共に上段側両側辺からも引きはがすと、袋容器の上段部が開放されることにより収納された湿式シートの上方部分は露出することになり、袋の内面に貼り付いたシートも容易に取り出すことができる。しかも下段部は袋形態を保ったままであるので、美容液は無駄に流出してしまうことがない。
【０００８】
本考案の湿式シートの包装容器は、短冊形状の耐水素材のシートは長手方向端部から谷折り、谷折り、山折りとされ、開口部は前記山折りされた耐水素材のシートの一方の長手方向端部の上に他方の長手方向端部が重ねられて接着されたものであるから、構造が簡単で製造が容易である。また、異なる形態として短冊形状の耐水素材のシートは長手方向端部から谷折り、谷折り、山折り、谷折りそして山折りとされて袋容器底部にマチが形成されるものであるから、湿式シートを折畳んだ形態で収納したり、複数枚を収納したりの使用形態が可能となるだけでなく、底広形状となるので直立させた状態で置くことができるので、残留している美容液をそのまま安定保持できる。
【０００９】
本考案の湿式シートの包装容器の開口部は、前記耐水素材のシートの長手方向両端部の位置がズレを有して重ねられていると共に、前記両端部位置から若干領域は非接着形態となっていることにより、両端部部分を指でつまんで開封することができ、開封動作を容易に行うことができる。
【図面の簡単な説明】
【００１０】
【図１】短冊形状の耐水素材のシートを折り曲げて形成する本考案に係る湿式シートの包装容器の折り目を示す図である。
【図２】Ａは本考案に係る湿式シートの包装容器の立面断面図、Ｂはその平面図である。
【図３】本考案に係る湿式シートの包装容器の開口部側面の部分拡大図である。
【図４】本考案に係る湿式シートの包装容器の開封形態を説明する図である。
【図５】短冊形状の耐水素材のシートを折り曲げて形成する本考案に係る湿式シートの包装容器の異なる形態の折り目を示す図である。
【図６】従来の一般的な湿式シートの包装容器の斜視図である。
【考案を実施するための形態】
【００１１】
短冊形状の耐水素材のシートを折り曲げて形成する本考案に係る湿式シートの包装容器の折り目の一形態を図１に示す。１がアルミ材のような短冊形状の耐水素材のシートであり、ａが谷折り部、ｂが山折り部を示している。下段に示す図は折ったときの側面図である。短冊形状の耐水素材のシート１の一方の長手方向端部１ｂ近傍を端部に平行させて山折りし、この山折り部ｂが短冊形状の耐水素材のシート１のほぼ中央部に来るように谷折りする。この時の谷折り部ａが袋容器の底部３となる。次に、短冊形状の耐水素材のシート１の他方の長手方向端部１ａが前記山折りされている一方の端部１ｂにほぼ揃うように重ねて谷折りする。この両端部が重ね合わされた部分が袋容器の開口部２となる。まず、開口部となる両端部が重ね合わされた部分を熱溶着等の手法によって接着する。次に、折り重ねられた前記短冊形状の耐水素材のシート１の幅方向の片側辺を接着する。これによって袋容器が形成されるので、その中にパックマスクのような液に浸された湿式シート４を挟み込み、もう一方の側辺を接着して図２に示すように封止する。図２のＢにｃで示す部分、すなわち、折り重ねられた前記短冊形状の耐水素材のシートの幅方向の両側辺と前記両端部１ａ，１ｂが重ね合わされた部分が接着されることによって湿式シート４が袋状に包装されて封止される。開口部２が袋容器のほぼ中央位置にあることが大きな特徴である。この形態で市場、消費者へと流通される。
【００１２】
本考案の湿式シートの包装容器の開口部２は、図３に示すように耐水素材のシート１の長手方向両端部１ａ，１ｂの位置がズレを有して重ねられていると共に、前記両端部位置から若干領域は非接着形態となっているのが好ましい。この様な構成が採用されることにより両端部部分を指でつまんで開封することができ、開封動作を容易に行うことができる。消費者が使用に際しては、袋容器の開口部２となる耐水素材のシート１の端部１ｂを袋の下段部と一緒に挟んで把持し、耐水素材のシート１の他端部１ａを摘んで下段側端部１ｂから引きはがすと共に上段側両側辺からも引きはがすことにより開封される。そのときの形態は図４に示されるように、袋容器の上段部が開放されることにより収納された湿式シート４の上方部分は露出することになり、袋を開いて中に指を入れて取り出す必要はなく、袋の内面に貼り付いた湿式シート４も容易に取り出すことができる。しかも袋の下段部は袋形態を保ったままであるので、袋の底部３を下方にしておけば美容液はそこに残留し無駄に流出してしまうことがない。耐水素材のシート１の両端部１ａ，１ｂを摘んで両方を開くよう引き裂くと下段側辺部も開放されてしまことがあり、袋の下段部も袋形態を保てなくなるので、開封時には要注意である。この様な間違いを起さないためには図３のｅに示す部分の接着強度を高くしておくことが効果的である。
【００１３】
本考案の湿式シートの包装容器は、異なる形態として図５に示すように、短冊形状の耐水素材のシートが長手方向端部から谷折り、谷折り、山折り、谷折りそして山折りとされて袋容器底部３にマチが形成されるものであってもよい。湿式シートを折畳んだ形態で収納したり、複数枚を収納したりの使用形態が可能となるだけでなく、底広形状となるので直立させた状態で置くことができるので、残留している美容液をトレーなどに移すことなく、そのまま安定保持できる。
【産業上の利用可能性】
【００１４】
本考案は、明細書においてパックマスク用の包装容器を想定して説明してきたが、これに限定されることなく、消毒液が浸された殺菌タオル、濡れ布巾等の湿式シートの包装容器として広く適用することができる。
【符号の説明】
【００１５】
１  耐水素材のシート                ２  開口部
３  底部                            ４  湿式シート
ａ  谷折り部                        ｂ  山折り部
ｃ  接着領域                        ｄ  切り込み
ｅ  高接着強度の領域
【図１】
0003159278.tif 000003
【図２】
0003159278.tif 000004
【図３】
0003159278.tif 000005
【図４】
0003159278.tif 000006
【図５】
0003159278.tif 000007
【図６】
0003159278.tif 000008